(57)【要約】 【課題】  機器の種類にかかわらず、その適用が容易なメモリカード及びその製造方法を提供する。【解決手段】  メモリカード１００は、箱状に形成される印刷回路基板を含む。前記箱状の印刷回路基板の内部にはその機能を調整するコントロールチップ１２とデータを保存するメモリチップ１４とを含むチップモジュールが形成され、前記箱状の印刷回路基板の外部の一側には、前記チップモジュールと電気的に接続される接触パッド１６が形成される。また、前記箱状の印刷回路基板の外部で操作しうるようにコントロールチップ１２と連結され、コントロールチップ１２の機能を変換させる操作部１８が形成される。メモリカード１００は、操作部１８を操作することによって、コントロールチップ１２の機能と接触パッド１６のインタフェース機能とが互いに異なるデジタル機器に適するように変換される。【選択図】    図３
2008097612.tif 000002
【特許請求の範囲】
【請求項１】
箱状に形成される印刷回路基板と、
前記箱状の印刷回路基板の内部にはそれの機能を調整するコントロールチップとデータを保存するメモリチップとを含むチップモジュールが形成され、
前記箱状の印刷回路基板の外部の一側には前記チップモジュールと電気的に接続される接触パッドが形成され、
前記箱状の印刷回路基板の外部で操作しうるように前記コントロールチップと連結され、前記コントロールチップの機能を変換させる操作部が形成され、
前記操作部を操作することによって、前記コントロールチップの機能と前記接触パッドのインタフェース機能とが互いに異なるデジタル機器に適するように変換されることを特徴とするメモリカード。
【請求項２】
前記コントロールチップを一つ含み、前記操作部の操作によって前記一つのコントロールチップの機能が互いに異なるデジタル機器に適するように変換されることを特徴とする請求項１に記載のメモリカード。
【請求項３】
互いに異なる機能を果たす少なくとも二つの前記コントロールチップを含み、前記操作部の操作によって互いに異なるデジタル機器に適する機能を有するコントロールチップを選択することを特徴とする請求項１に記載のメモリカード。
【請求項４】
少なくとも二つの前記メモリチップを含むことを特徴とする請求項１に記載のメモリカード。
【請求項５】
箱状の前記印刷回路基板の内部には前記コントロールチップとメモリチップとを支持するためのモールディング部が形成されることを特徴とする請求項１に記載のメモリカード。
【請求項６】
前記操作部は、スイッチ、回路、ヒューズ、及びジャンパーのうちいずれか一つを含むことを特徴とする請求項１に記載のメモリカード。
【請求項７】
湾曲させ箱状に形成するとき、その外部の一側に接触パッドが位置する印刷回路基板を準備する段階と、
前記接触パッドが位置する部位と反対部位の印刷回路基板上にその機能を調整するコントロールチップとデータを保存するメモリチップとを形成する段階と、
前記箱状の外部で操作しうるように、前記コントロールチップと連結され、前記コントロールチップの機能を変換させる操作部を形成する段階と、
外部には接触パッドと操作部とが位置し、内部には前記コントロールチップとメモリチップとが位置するように前記印刷回路基板を湾曲させ箱状に形成する段階と、を含むことを特徴とするメモリカードの製造方法。
【請求項８】
前記コントロールチップとメモリチップとを支持するためのモールディング部を形成する段階を更に含むことを特徴とする請求項７に記載のメモリカードの製造方法。
【請求項９】
互いに異なる機能を果たす少なくとも二つの前記コントロールチップを含むとき、前記コントロールチップを積層構造に形成することを特徴とする請求項７に記載のメモリカードの製造方法。
【請求項１０】
少なくとも二つの前記メモリチップを含むとき、前記メモリチップを積層構造に形成することを特徴とする請求項７に記載のメモリカードの製造方法。
【請求項１１】
内部空間を有する箱状に形成される印刷回路基板と、
前記箱状の印刷回路基板の外部で操作しうるように内部空間に配置されたコントロールチップと連結され、前記コントロールチップの機能を変換させる操作部と、を含み、
前記操作部を操作することによって前記コントロールチップの機能とメモリカードのインタフェース機能とが互いに異なるデジタル機器に適するように変換されることを特徴とするメモリカード。
【請求項１２】
前記操作部は、スイッチ、回路、ヒューズ、及びジャンパーのうちいずれか一つを含むことを特徴とする請求項１１に記載のメモリカード。
【請求項１３】
第１機能によってメモリカードを動作させる段階と、
前記メモリカードに外部信号を入力する段階と、
前記外部信号に基づいて第２機能によって前記メモリカードを動作させる段階と、
前記メモリカード上の単一コンタクトを経由して前記メモリカードに受信された少なくとも一つの信号にかかわる機能を変更させる前記外部信号に基づいて前記メモリカードのインタフェース機能を変更する段階と、を含むことを特徴とするメモリカードの動作方法。
【請求項１４】
前記操作部は、スイッチ、回路、ヒューズ、及びジャンパーのうちいずれか一つを含むことを特徴とする請求項１３に記載のメモリカードの動作方法。
【発明の詳細な説明】
【技術分野】
【０００１】
本発明は、メモリカード及びその製造方法に関し、特にデジタル機器に適用可能なメモリカード及びその製造方法に関する。
【背景技術】
【０００２】
最近、コンピュータ、携帯電話、カムコーダーなどのようなデジタル機器が急速に発展しつつあり、これに応じてその周辺機器として保存媒体であるメモリカードも急速に発展しつつある。特に、前記メモリカードの場合、その保存容量がギガバイトに達している。
【０００３】
従来のメモリカードは、特許文献１及び特許文献２に開示されている。
前記メモリカードは、デジタル機器の種類によってその大きさ、接触パッドの個数などに違いがある。即ち、コンピュータに適用しうるメモリカード、携帯電話に適用しうるメモリカード、デジタルカメラに適用しうるメモリカード、カムコーダーに適用しうるメモリカードなどが互いに異なる大きさを有し、接触パッドの個数などに相違がある。
【０００４】
そのため、従来は、前記メモリカードの互換がほぼ行われないので、デジタル機器に適用するためのメモリカードそれぞれを別途に必要とするという短所があった。
【特許文献１】大韓民国公開特許第２００６−８１７０３号明細書
【特許文献２】大韓民国公開特許第２００６−６４２９１号明細書
【発明の開示】
【発明が解決しようとする課題】
【０００５】
本発明の第１目的は、コンピュータ、携帯電話などのデジタル機器の種類にかかわらず、その適用が容易なメモリカードを提供することにある。
本発明の第２目的は、前記メモリカードを容易に製造する方法を提供することにある。
【課題を解決するための手段】
【０００６】
前記第１目的を達成するための本発明の望ましい一態様によるメモリカードは、箱状に形成される印刷回路基板を含む。特に、前記箱状の印刷回路基板の内部にはその機能を調整するコントロールチップとデータを保存するメモリチップとを含むチップモジュールが形成され、前記箱状の印刷回路基板の外部の一側には前記チップモジュールと電気的に接続される接触パッドが形成される。また、前記箱状の印刷回路基板の外部で操作しうるように前記コントロールチップと連結され、前記コントロールチップの機能を変換させる操作部が形成される。
【０００７】
それによって、前記メモリカードの場合、前記操作部を操作することによって、前記コントロールチップの機能と前記接触パッドのインタフェース機能とが互いに異なるデジタル機器に適するように変換される。
【０００８】
ここで、前記メモリカードは、一つまたはそれ以上の前記コントロールチップを含むことができる。前記メモリカードにコントロールチップが一つ含まれると、前記操作部の操作によって前記一つのコントロールチップの機能が互いに異なるデジタル機器に適するように変換される構成を有する。そして、前記メモリカードにコントロールチップが二つ以上含まれると、前記二つ以上のコントロールチップは互いに異なる機能を有し、前記操作部の操作によって互いに異なるデジタル機器に適する機能を有するコントロールチップを選択する構成を有する。
【０００９】
前記第２目的を達成するための本発明の一態様によるメモリカードの製造方法は、印刷回路基板が湾曲され箱状に形成されるとき、前記箱状の印刷回路基板の外部の一側に接触パッドが位置するように印刷回路基板を準備する。その後、前記接触パッドが位置する部位と反対部位の印刷回路基板上に、その機能を調整するコントロールチップとデータを保存するメモリチップとを形成する。続けて、前記箱状の印刷回路基板の外部で操作しうるように前記コントロールチップと連結され、前記コントロールチップの機能を変換させる操作部を形成する。
それから、その外部には接触パッドと操作部が位置し、その内部には前記コントロールチップとメモリチップが位置するように、前記印刷回路基板を湾曲させ箱状に形成する。
【００１０】
特に、前記メモリカードの製造において、互いに異なる機能を有する少なくとも二つの前記コントロールチップが含まれるとき、前記コントロールチップを積層構造に形成し、少なくとも二つの前記メモリチップが含まれるとき、前記メモリチップを積層構造に形成する。
【００１１】
このように、本発明のメモリカードは、コントロールチップの機能と接触パッドのインタフェース機能とを適切に変換または選択することができるので、コンピュータ、携帯電話などのような互いに異なるデジタル機器に容易に互換して用いることができる。
【発明を実施するための最良の形態】
【００１２】
以下、添付する図面を参照して本発明の望ましい実施例を詳細に説明する。
（第１実施例）
本発明の第１実施例によるメモリカードを図１及び図２に示す。
図１及び図２を参照すると、メモリカード１００として形成される印刷回路基板１０を示す。特に、印刷回路基板１０は、湾曲され箱状に形成されることによってメモリカード１００を得ることができる。
【００１３】
前述したように、湾曲形成され得られた箱状の印刷回路基板１０の内部には、チップモジュールが形成される。ここで、前記チップモジュールはそれの機能を調整するコントロールチップ１２とデータを保存するメモリチップ１４を含む。特に、コントロールチップ１２の例としてはマイクロプロセッサーなどを挙げることができ、メモリチップ１４の例としてはフレッシュメモリなどを挙げることができる。そして、箱状の印刷回路基板１０の外部の一側には前記チップモジュールと電気的に接続される接触パッド１６が形成される。また、メモリカード１００は、箱状の印刷回路基板１０の外部から操作しうるようにコントロールチップ１２と連結される操作部１８を含む。
【００１４】
ここで、操作部１８は、コントロールチップ１２の機能と接触パッド１６のインタフェース機能を変換する構成を有する。なお、メモリカード１００にはコントロールチップ１２とメモリチップ１４とを連結するワイヤ２０が形成される。特に、ワイヤ２０は、コントロールチップ１２とメモリチップ１４とを電気的に接続し、また箱状の印刷回路基板１０の外部に形成された接触パッド１６とも電気的に接続される。ここで、操作部１８は、スイッチ、回路、ヒューズ、及びジャンパーのうちいずれか一つを含むことができる。
【００１５】
そして、箱状の印刷回路基板１０の内部にはコントロールチップ１２、メモリチップ１４、ワイヤー２０などを支持するためのモールディング部２２が形成される。
【００１６】
コントロールチップ１２は、メモリカード１００の機能を調整する部材として本発明の実施例では一つまたは少なくとも二つを含むことができる。
【００１７】
まず、メモリカード１００にコントロールチップ１２を一つ含む場合、一つのコントロールチップ１２そのものが多様な機能を有する。即ち、一つのコントロールチップ１２が互いに異なるデジタル機器に互換可能に適合する機能を有する。そのため、メモリカード１００がコントロールチップ１２を一つのみを含む場合、操作部１８の操作によって一つのコントロールチップ１２の機能が互いに異なるデジタル機器に適するように変換する。
【００１８】
そして、メモリカード１００にコントロールチップ１２を少なくとも二つ含む場合、少なくとも二つのコントロールチップ１２は、互いに異なる機能を有する。即ち、二つのコントロールチップ１２それぞれが互いに異なるデジタル機器に互換可能に適合する機能を有する。言い換えれば、二つのコントロールチップ１２のいずれかが第１デジタル機器に適合する機能を有し、残りの一つのコントロールチップが第２デジタル機器に適合する機能を有する。そのため、メモリカード１００がコントロールチップ１２を少なくとも二つを含む場合にも操作部１８の操作によって二つのコントロールチップ１２の機能が互いに異なるデジタル機器に適合するように変換される。
【００１９】
特に、本発明の実施例では、一つまたは二つのコントロールチップ１２を含む場合についてのみ例を挙げているが、三つ以上のコントロールチップ１２を含む場合についても前述した事項に基づき、十分理解できるであろう。
【００２０】
更に、コントロールチップ１２を二つ以上含む場合、コントロールチップ１２を積層させ形成することが好ましい。これは、コントロールチップ１２を積層させ形成することがメモリカード１００の集積度の面から有利であるためである。
【００２１】
また、操作部１８を操作することによって、コントロールチップ１２の機能が変換されるとき、接触パッド１６のインタフェース機能も変換されることが好ましい。即ち、操作部１８を操作することによってコントロールチップ１２の機能のみならず、接触パッド１６のインタフェース機能も変換する。そのため、本発明の実施例によるメモリカード１００は、互いに異なるデジタル機器にその機能が適合するように変換し、その結果、容易な互換性を有する。
【００２２】
なお、メモリチップ１４の場合、その保存容量を増加させるための方法として、メモリチップ１４を少なくとも二つを具備してもよい。このように、メモリチップ１４を少なくとも二つを具備する場合、メモリチップ１４を積層させ形成することが好ましい。これは、コントロールチップ１２と同様にメモリカード１００の集積度の面から有利であるためである。
【００２３】
そして、メモリカード１００は、駆動のための部材、適切な信号伝達のためのインタフェース部材などを含むことができる。
【００２４】
（第２実施例）
以下、本発明の第２実施例によるメモリカードの動作方法を図３から図７に基づいて説明する。
図３から図７は、図１及び図２に示すメモリカードの動作方法について説明するための概略図である。メモリカードの動作方法では、前述したメモリカードと同一の部材である場合、同一の符号を付与する。
【００２５】
図３を参照すると、第１機能と第２機能を有する一つのコントロールチップ１２を含むメモリカードであって、第１モードを有するように操作部１８を操作すると、コントロールチップ１２が第１機能を有し、第２モードを有するように操作部１８を操作すると、コントロールチップ１２が第２機能を有する。なお、第１モードを有するように操作部１８を操作すると、接触パッド１６のインタフェース機能は図４のように変換され、前記第２モードを有するように操作部１８を操作すると、接触パッド１６のインタフェース機能は図５のように変換される。
【００２６】
ここで、図６に示したように、操作部１８は受動動作方式で第１モードまたは第２モードを有するように操作することができる。また、図７に示したように、操作部１８は、電気動作方式で第１モードまたは第２モードを有するように操作することができる。
【００２７】
これによって、前記メモリカードにおいて、操作部１８が第１モードを有するように操作することでコントロールチップ１２の機能が第１機能に変換され、接触パッド１６のインタフェース機能もコントロールチップ１２が有する第１機能に適するように変換される。また前記メモリカードにおいて、操作部１８が第２モードを有するように操作することでコントロールチップ１２の機能が第２機能に変換され、接触パッド１６のインタフェース機能もコントロールチップ１２が有する第２機能に適するように変換される。
【００２８】
例えば、操作部１８が第１モードを有するように操作する場合、前記メモリカードは携帯電話に用いうる構成を有し、操作部１８が第２モードを有するように操作する場合、前記メモリカードはデジタルカメラに用いうる構成を有する。
【００２９】
ここでは、第１機能と第２機能を有する一つのコントロールチップを含むメモリカードについて例を挙げて説明しているが、前述した本発明の実施例に基づくとき、第１機能から第ｎ機能を有する一つのコントロールチップを含むメモリカード、第１機能から第ｎ機能を有しかつ、複数のコントロールチップを含むメモリカードなどの構成についても容易に理解することができるであろう。
【００３０】
このように、前述したメモリカード及びその動作方法に基づく場合、本発明のメモリカードは互いに異なるデジタル機器に容易に互換し用いることができる。
【００３１】
（第３実施例）
以下、本発明の第３実施例として前述したメモリカードを製造する第１方法について図８から図１１に基づいて説明する。
メモリカードを製造する第１方法では前述したメモリカードと同一の部材である場合、同一の符号を付与する。
【００３２】
図８を参照すると、印刷回路基板１０を準備する。ここで、印刷回路基板１０の一側には接触パッド１６が形成される。また、操作部１８が印刷回路基板１０上に形成される。接触パッド１６は、印刷回路基板１０が湾曲され箱状に形成されるとき、前記箱状の印刷回路基板の外部の一側に位置するように形成される。ここで、接触パッド１６は、印刷回路基板１０の設計において適切に考慮する場合、容易に形成することができる。
【００３３】
続いて、図９及び図１０を参照すると、接触パッド１６が位置する部位と反対部位の印刷回路基板１０上にチップモジュールを形成する。即ち、メモリカードの機能を調整するコントロールチップ１２とデータを保存するメモリチップ１４とを形成する。ここで、コントロールチップ１２とメモリチップ１４とがそれぞれ複数具備される場合、メモリカード１００の集積度を考慮して積層タイプに具現することが望ましい。
【００３４】
そして、コントロールチップ１２とメモリチップ１４とを連結するワイヤ２０を形成する。ここで、ワイヤ２０は、接触パッド１６との電気的接続が可能であるように形成する。その後、コントロールチップ１２と操作部１８を電気的に接続させる。ここで、前記操作部は印刷回路基板１０を湾曲させ箱状に形成するとき、箱状の外部から操作しうるように形成する。
【００３５】
このように、コントロールチップ１２、メモリチップ１４、ワイヤ２０などを形成した後、コントロールチップ１２、メモリチップ１４、ワイヤ２０などを固定させるためのモールディング部２２を形成する。
【００３６】
そして、図１１に示したように、印刷回路基板１０を湾曲させ箱状に形成する。これによって、箱状の印刷回路基板１０の内部にはコントロールチップ１２とメモリチップ１４とを含むチップモジュールが形成され、箱状の印刷回路基板１０の外部の一側には接触パッド１６と操作部が形成されるメモリカード１００を得る。
【００３７】
（第４実施例）
本発明の図１及び図２に示すメモリカードを製造する第２方法を図１２から図１４に基づき説明する。メモリカードを製造する第２方法では、前述したメモリカードを製造する第１方法と同一の部材である場合、同一の符号を付与する。
【００３８】
図１２を参照すると、メモリカードを製造する第２方法では前述したメモリカードを製造する第１方法と同様に印刷回路基板１０を準備する。操作部１８を印刷回路基板１０上に形成する。印刷回路基板１０の一側には接触パッド１６が形成される。ここで、接触パッド１６は、印刷回路基板１０を湾曲させ箱状に形成するとき、箱状の印刷回路基板１０の外部の一側に位置するように形成される。
【００３９】
図１３を参照すると、接触パッド１６が形成された部位と反対部位の印刷回路基板上にコントロールチップ１２、メモリチップ１４、ワイヤ２０などがモールディングされたパッケージ部材５０を位置させる。即ち、印刷回路基板１０を準備した後、印刷回路基板１０上にパッケージ５０を位置させる。操作部１８はコントロールチップ１２と電気的に接続させる。
【００４０】
その後、図１４を参照すると、印刷回路基板１０を湾曲させ形成してメモリカード１００を得る。第２方法では、パッケージ部材５０を用いてメモリカード１００を得るのである。
（発明の効果）
【００４１】
前述したように、本発明のメモリカードは、コントロールチップの機能と接触パッドのインタフェース機能を適切に変換または選択することができるので、単一のメモリカードをコンピュータ、携帯電話などのような互いに異なるデジタル機器に容易に互換して用いることができる。
【００４２】
以上、本発明を実施例によって詳細に説明したが、本発明はこれに限定されず、本発明が属する技術分野において通常の知識を有するものであれば本発明の思想と精神を逸脱することなく、本発明を修正または変更できる。
【図面の簡単な説明】
【００４３】
【図１】本発明の第１実施例によるメモリカードを示す概略図である。
【図２】本発明の第１実施例によるメモリカードを示す断面図である。
【図３】本発明の第２実施例によるメモリカードを説明する概略図である。
【図４】本発明の第２実施例によるメモリカードを説明する概略図である。
【図５】本発明の第２実施例によるメモリカードを説明する概略図である。
【図６】本発明の第２実施例によるメモリカードを説明する斜視図である。
【図７】本発明の第２実施例によるメモリカードを説明する斜視図である。
【図８】本発明の第３実施例によるメモリカードを製造する方法を示す断面図である。
【図９】本発明の第３実施例によるメモリカードを製造する方法を示す断面図である。
【図１０】本発明の第３実施例によるメモリカードを製造する方法を示す断面図である。
【図１１】本発明の第３実施例によるメモリカードを製造する方法を示す断面図である。
【図１２】本発明の第４実施例によるメモリカードを製造する方法を示す断面図である。
【図１３】本発明の第４実施例によるメモリカードを製造する方法を示す断面図である。
【図１４】本発明の第４実施例によるメモリカードを製造する方法を示す断面図である。
【符号の説明】
【００４４】
１０：印刷回路基板、１２：コントロールチップ、１４：メモリチップ、１６：接触パッド、１８：操作部、２０：ワイヤ、２２：モールディング部、１００：メモリカード
【図１】
2008097612.tif 000003
【図２】
2008097612.tif 000004
【図３】
2008097612.tif 000005
【図４】
2008097612.tif 000006
【図５】
2008097612.tif 000007
【図６】
2008097612.tif 000008
【図７】
2008097612.tif 000009
【図８】
2008097612.tif 000010
【図９】
2008097612.tif 000011
【図１０】
2008097612.tif 000012
【図１１】
2008097612.tif 000013
【図１２】
2008097612.tif 000014
【図１３】
2008097612.tif 000015
【図１４】
2008097612.tif 000016